(57)【要約】【課題】停電時に、自動的にバッテリに切り替わることなく、必要な時にバックアップ用のバッテリを使用することができるセキュリティシステムを提供する。【解決手段】個人認証用データを入力することにより電気錠６の施錠及び解錠を行う電気錠コントローラ５と、個人認証用データを入力するための指静脈リーダ７と、を有するセキュリティシステム１において、電源からの電力の供給が停止した場合に、電気錠６、電気錠コントローラ５、及び指静脈リーダ７に対して電力を供給するバックアップ用のバッテリ８と、バッテリ８で電力を供給するためのバッテリ入力スイッチ９と、を有すること、を特徴とする。【選択図】  図１
2018145640.tif 000002
【特許請求の範囲】
【請求項１】
個人認証用データを入力することにより電気錠の施錠及び解錠を行う電気錠制御手段と、前記個人認証用データを入力するためのデータ読み取り手段と、を有するセキュリティシステムにおいて、
電源からの電力の供給が停止した場合に、前記電気錠、前記電気錠制御手段、及び前記データ読み取り手段に対して電力を供給するバックアップ用のバッテリと、
前記バッテリで電力を供給するためのバッテリ入力スイッチと、を有すること、
を特徴とするセキュリティシステム。
【請求項２】
請求項１に記載するセキュリティシステムにおいて、
前記電気錠制御手段は、前記バッテリ入力スイッチがオンされた後、前記電気錠が施錠又は解錠しなかった場合に、所定時間だけ電力を供給したあと供給を停止し、
再度、前記バッテリ入力スイッチがオンされると電力を供給すること、
を特徴とするセキュリティシステム。
【請求項３】
請求項１又は請求項２に記載するセキュリティシステムにおいて、
前記電気錠は、サムターンを回転させる機構を持つ後付け錠であること、
を特徴とするセキュリティシステム。
【発明の詳細な説明】
【技術分野】
【０００１】
本発明は、個人認証用データを入力することにより電気錠の施錠及び解錠を行う電気錠制御手段と、個人認証用データを入力するためのデータ読み取り手段と、を有するセキュリティシステムに関する。
【背景技術】
【０００２】
銀行の各支店の通用口では、始業前と終業後に個人認証用データを入力することにより施錠・解錠される電気錠と、業務中（日中）に施錠・解錠される錠との２つの錠が設置されている。始業前と終業後に使用される錠は、責任者を限定するために支店長等の一部の者しか開閉する権限がないが、業務中に使用される錠では他の銀行員も利用することができ、これは、通常、テンキーを入力することにより錠を施錠・解錠している。
【０００３】
従来のセキュリティシステムは、支店長等の一部の者によるアクセスがあったときに個人認証用データを入力することにより照合、認証等を行って電気錠等の施錠や解錠を行わせるものである。このセキュリティシステムの内部メモリには、その処理に必要な支店長等の個人情報等のセキュリティ情報が記憶されている。
このようなセキュリティシステムは、正常時には所定の電源から電力が供給されて動作しているが、ビルの停電等によって、電源供給が遮断された場合には、あらかじめ備えられているバッテリなどから電力を供給することにより、内部メモリのデータを保護したり、あるいはシステムの動作を維持したりしている。例えば、始業後に停電が発生した場合、電気錠を解錠状態から施錠状態とするためにバッテリが必要となる。
特許文献１及び特許文献２のセキュリティシステムでは、停電時にバッテリなどから電力を供給してバックアップ動作に自動的に切り替わる。
【先行技術文献】
【特許文献】
【０００４】
【特許文献１】特開２００９−９２６８号公報
【特許文献２】特開２００５−２３４９６７号公報
【発明の概要】
【発明が解決しようとする課題】
【０００５】
しかしながら、従来のセキュリティシステムでは、終業後から始業前、すなわち、人の出入りが全くなくなる間に長時間停電になった場合、自動的にバッテリに切り替わってしまうため、朝に出勤して鍵を開けようとするとすでにバッテリの電力が切れており、電気錠を解錠することができない恐れがあった。
【０００６】
そこで、本発明は、上記問題点を解決するためになされたものであり、停電時に、自動的にバッテリに切り替わることなく、必要な時にバックアップ用のバッテリを使用することができるセキュリティシステムを提供することを目的とする。
【課題を解決するための手段】
【０００７】
上記目的を達成するために、本発明の一態様におけるセキュリティシステムは、以下の構成を有する。
（１）個人認証用データを入力することにより電気錠の施錠及び解錠を行う電気錠制御手段と、個人認証用データを入力するためのデータ読み取り手段と、を有するセキュリティシステムにおいて、電源からの電力の供給が停止した場合に、電気錠、電気錠制御手段、及びデータ読み取り手段に対して電力を供給するバックアップ用のバッテリと、バッテリで電力を供給するためのバッテリ入力スイッチと、を有すること、を特徴とする。
【０００８】
（２）（１）に記載するセキュリティシステムにおいて、電気錠制御手段は、バッテリ入力スイッチがオンされた後、電気錠が施錠又は解錠しなかった場合に、所定時間だけ電力を供給したあと供給を停止し、再度、バッテリ入力スイッチがオンされると電力を供給すること、を特徴とする。
（３）（１）又は（２）に記載するセキュリティシステムにおいて、電気錠は、サムターンを回転させる機構を持つ後付け錠であること、を特徴とする。
【発明の効果】
【０００９】
本発明のセキュリティシステムは、以下のような作用、効果を奏する。
（１）個人認証用データを入力することにより電気錠の施錠及び解錠を行う電気錠制御手段と、個人認証用データを入力するためのデータ読み取り手段と、を有するセキュリティシステムにおいて、電源からの電力の供給が停止した場合に、電気錠、電気錠制御手段、及びデータ読み取り手段に対して電力を供給するバックアップ用のバッテリと、バッテリで電力を供給するためのバッテリ入力スイッチと、を有すること、を特徴とするので、バッテリ入力スイッチを入れることにより、自動的ではなく手動でバッテリに切り替えることができるため、長時間停電が発生しても必要な時にバッテリを使用することできる。
【００１０】
（２）（１）に記載するセキュリティシステムにおいて、電気錠制御手段は、バッテリ入力スイッチがオンされた後、電気錠が施錠又は解錠しなかった場合に、所定時間だけ電力を供給したあと供給を停止し、再度、バッテリ入力スイッチがオンされると電力を供給すること、を特徴とする。
ここで、（１）では、権限のない者により、停電後にバッテリ入力スイッチがオンされてバッテリに切り替わると、電気錠を解錠しようとして指静脈リーダを無駄に操作することにより、バッテリの電力が余分に使われてしまい、権限のある者が電気錠を解錠しようとするときすでにバッテリが切れてしまい、必要な時に電気錠を解錠することができない恐れがあった。
そこで、権限のない者がバッテリ入力スイッチをオンしても、電気錠が施錠又は解錠されなければ所定時間しか電力が供給されず、停止されるので、再度、権限のある者がバッテリ入力スイッチをオンしても、バッテリの電力をすべて消費することなく、バッテリから電力を供給することができる。よって、必要な時にバッテリを使用することできる。
（３）（１）又は（２）に記載するセキュリティシステムにおいて、電気錠は、サムターンを回転させる機構を持つ後付け錠であること、を特徴とするので、電気錠を取り付けることで、通常手動で施錠・解錠されるサムターンが設置された既存の扉でも、このセキュリティシステムを使用することができ、既存の扉を交換しなくても簡単な工事で電気錠を後付けできるため、コストを削減することができる。
【図面の簡単な説明】
【００１１】
【図１】本実施形態のセキュリティシステムの構成を示す図である。
【図２】指静脈リーダの斜視図である。
【図３】指静脈リーダがカバーに覆われている図である。
【発明を実施するための形態】
【００１２】
次に、本発明に係るセキュリティシステムの一実施の形態について図面を参照して説明する。
（セキュリティシステムの構成）
図１は、本実施形態のセキュリティシステム１の構成を示す。図２は、指静脈リーダ７の斜視図を示し、図３は、指静脈リーダ７がカバー１２に覆われている図を示す。
【００１３】
セキュリティシステム１が設置されている銀行には、通常、図１に示すように、本部と各支店がある。本部で管理サーバ２が設置され、各支店の管理パソコン３にネットワークにより接続されている。管理サーバ２では、各支店の管理パソコン３の操作が可能であり、各支店の電気錠６の開閉状態を確認したり、電気錠６を解錠する遠隔操作を行ったりする。
各支店にある管理パソコン３は、ＨＵＢ４を介して電気錠コントローラ５と指静脈リーダ７に接続している。電気錠コントローラ５は、個人認証用データとして指静脈を入力することにより電気錠６の施錠解錠を行う。この電気錠６は、通用口扉に設置され、始業前と終業後に施錠・解錠され、日中は、解錠状態である。通用口扉には、さらに、日中に他の銀行員等に使用される錠１１が設置されている。
なお、本実施形態の電気錠コントローラ５は、請求項の「電気錠制御手段」の一例である。また、本実施形態の指静脈リーダ７は、請求項の「データ読み取り手段」の一例である。
【００１４】
指静脈リーダ７は、通用口外側の壁面に取り付けられている。通常、図３に示すように、直射日光や雨等が当たらないようにカバー１２に覆われている。指静脈リーダ７は、正常時には主電源から電力が供給されて動作している。しかし、停電等によって、電力供給が遮断されても電力が供給されるように、あらかじめバッテリ８が備えられている。バッテリ８は、電源からの電力の供給が停止した場合に、バックアップ用に電気錠６と、電気錠コントローラ５と、指静脈リーダ７とに電力を供給する。
【００１５】
また、指静脈リーダ７には、図２に示すように、停電時等にバッテリ８で電力を供給するように切り替えるためのバッテリ入力スイッチ９を上面に備える。バッテリ入力スイッチ９をオンすることによりバッテリ８により電力が供給される。指静脈リーダ７には、略Ｈ形状をした指静脈認証装置７１が備え付けられている。Ｈ形状の凹部７４に指を差し入れることにより、照合・認証が行われる。指静脈認証装置７１の上面にはＬＥＤ７２が備え付けられ、認証等の状態を示す。例えば、通常時は点灯しないが、橙色に点灯した場合、照合中であることを示し、緑色に点灯した場合には、認証が成功したことを示し、赤色に点灯した場合には、認証が失敗したことを示す。指静脈リーダ７の上部であって、図中左側には、ディスプレイ７３が備え付けられており、施錠状態か解錠状態かが表示される。ディスプレイ７３のすぐ隣（図中右側）にはテンキー７５が配置されている。
【００１６】
管理パソコン３は、電気錠６の開閉状態の確認、電気錠６を解錠する遠隔操作を行う。また、管理パソコン３には、指静脈登録機１０が接続されている。指静脈登録機１０により、各支店で終業後と始業前に施錠・解錠を行う権限を有する支店長等の指静脈をあらかじめ登録する。この登録者のみが電気錠６の施錠・解錠を行うことができる。管理パソコン３では、利用履歴のデータを蓄積される。
【００１７】
（セキュリティシステムの作用・効果）
次に、セキュリティシステム１の作用・効果を詳細に説明する。
まず、セキュリティシステム１が正常に動作しているときについて説明する。始業前または終業後に支店長等の権限を持つ者が指静脈リーダ７のテンキー７５を操作して、自己のＩＤ番号を入力する。次に指静脈リーダ７の凹部７４に指を差し入れ、ＩＤ番号の個人と既に登録された指静脈が一致しているか照合・認証を行う。照合中、ＬＥＤ７２は橙色に点灯し、照合・認証により一致されたと判断されると、ＬＥＤ７２が緑色に点灯する。これにより、電気錠６が解錠する。一方、一致しないと判断されるとＬＥＤ７２は赤色に点灯する。
セキュリティシステム１は正常時、主電源から電力が供給されて動作しているため、主電源から指静脈リーダ７、電気錠コントローラ５、電気錠６に電力が供給され、電気錠６の施錠・解錠が行われる。
【００１８】
次に、セキュリティシステム１が停電等によって正常に動作しないときについて説明する。停電が発生すると、セキュリティシステム１の電力供給が遮断される。終業後始業前に長時間の停電が発生した場合、権限のある支店長等は、はじめにバッテリ入力スイッチ９をオンする。これにより、バッテリ８がオン状態になり、指静脈リーダ７、電気錠コントローラ５、電気錠６に電力が供給される。バッテリ入力スイッチ９を任意で押下することにより、自動的にバッテリ８に切り替わるのではなく手動でバッテリ８に切り替わることができるため、長時間停電が発生しても必要な時にバッテリ８を使用することできる。
その後は、正常時と同様に、権限を持つ者が指静脈リーダ７のテンキー７５を操作して、自己のＩＤ番号を入力する。次に凹部７４に指を差し入れ、ＩＤ番号の個人と既に登録された指静脈が一致しているか照合・認証を行う。照合中、ＬＥＤ７２は橙色に点灯し、照合・認証により一致されたと判断されると、ＬＥＤ７２が緑色に点灯する。これにより、電気錠６が解錠する。一方、一致しないと判断されるとＬＥＤ７２は赤色に点灯する。
【００１９】
電気錠６が解錠状態から施錠状態へ、または施錠状態から解錠状態へ動かない場合、所定時間（例えば、３分）経過後に電力の供給が停止される。そのため、仮に、権限のない者がバッテリ入力スイッチ９をオンしても、電気錠６の施錠・解錠の動作がされないと３分後に電力の供給が停止するため、再度、権限のある者がバッテリ入力スイッチ９をオンしても、バッテリ８の電力が残っているため、バッテリ８から電力が供給される。必要な時にバッテリ８を使用することできる。
バッテリ８の稼働時の動作時間は全体で１０分程度であり、例えば、権限のない者がバッテリ入力スイッチ９を１〜２回オンしてしまっても、権限のある者が再度バッテリ入力スイッチ９をオンして、バッテリ８を稼働させることができる。
なお、バッテリ入力スイッチ９は、主電源が供給されている際にはオンできず、主電源が供給されていない場合にのみオンできる。また、バッテリ８は、主電源が復旧すると、自動的にバッテリ８の稼働を中止し、バッテリ８の充電が開始される。
【００２０】
以上、説明したように、本実施形態に係るセキュリティシステム１によれば、
（１）個人認証用データを入力することにより電気錠６の施錠及び解錠を行う電気錠コントローラ５と、個人認証用データを入力するための指静脈リーダ７と、を有するセキュリティシステム１において、電源からの電力の供給が停止した場合に、電気錠６、電気錠コントローラ５、及び指静脈リーダ７に対して電力を供給するバックアップ用のバッテリ８と、バッテリ８で電力を供給するためのバッテリ入力スイッチ９と、を有すること、を特徴とするので、バッテリ入力スイッチ９を入れることにより、自動的ではなく手動でバッテリ８に切り替えることができるため、長時間停電が発生しても必要な時にバッテリ８を使用することできる。
【００２１】
（２）（１）に記載するセキュリティシステム１において、電気錠コントローラ５は、バッテリ入力スイッチ９がオンされた後、電気錠６が施錠又は解錠しなかった場合に、所定時間だけ電力を供給したあと供給を停止し、再度、バッテリ入力スイッチ９がオンされると電力を供給すること、を特徴とする。
ここで、（１）では、権限のない者により、停電後にバッテリ入力スイッチ９がオンされてバッテリ８に切り替わると、電気錠６を解錠しようとして指静脈リーダ７を無駄に操作することにより、バッテリ８の電力が余分に使われてしまい、権限のある者が電気錠６を解錠しようとするときすでにバッテリ８が切れてしまい、必要な時に電気錠６を解錠することができない恐れがあった。
そこで、権限のない者がバッテリ入力スイッチ９をオンしても、電気錠６が施錠又は解錠されなければ所定時間しか電力が供給されず、停止されるので、再度、権限のある者がバッテリ入力スイッチ９をオンしても、バッテリ８の電力をすべて消費することなく、バッテリ８から電力を供給することができる。よって、必要な時にバッテリ８を使用することできる。
【００２２】
尚、本発明は、上記実施の形態に限定されることなく、発明の趣旨を逸脱することのない範囲で色々な応用が可能である。
例えば、本実施形態では、セキュリティシステム１を銀行の各支店の通用口における入退室に対して使用しているが、オフィスにおいて用いられる多数の鍵を集中的に管理するための鍵管理ボックスや、金庫等の開閉のためのセキュリティシステムにも応用できる。すなわち、本実施形態では電気錠を入退室のための通用口扉に設置しているが、鍵管理ボックスの扉や、金庫等の扉に設置してセキュリティシステムを構成しても良い。
また、本実施形態では、指静脈リーダ７により電気錠６を直接施錠・解錠しているが、指静脈リーダ７により、電気錠６の鍵を収納する鍵管理ボックスの扉を施錠・解錠し、鍵管理ボックスから鍵を取り出してその鍵で電気錠６を施錠・解錠しても良い。施錠・解錠後は、鍵を鍵管理ボックスに返却して管理する。
また、本実施形態のバッテリ８は充電式のものを使用しているが、乾電池式のものでもよい。また、本実施形態のバッテリ８の稼働時の動作時間は１０分であるが、もっと長くても良い。
さらに、本実施形態では、電気錠６は通用口扉に設置されているが、建物側に設置されていても良い。
また、電気錠６は、サムターンを回転させる機構を持つ後付け錠であっても良い。通用口扉に設置されたサムターンに電気錠６を設置するため、電気錠６に電力が供給されると、サムターンのつまみを回転して解錠が行われ、入室が可能となる。電気錠６を取り付けることで、通常手動で施錠・解錠されるサムターンが設置された既存の扉でも、セキュリティシステム１を使用することができ、既存の扉を交換しなくても簡単な工事で電気錠６を後付けできるため、コストを削減することができる。
【符号の説明】
【００２３】
１  セキュリティシステム
５  電気錠コントローラ
６  電気錠
７  指静脈リーダ
８  バッテリ
９  バッテリ入力スイッチ
【図１】
2018145640.tif 000003
【図２】
2018145640.tif 000004
【図３】
2018145640.tif 000005